(57)【要約】【課題】界面活性剤含有量が少なくても、きめ細かく厚み感がある泡で、泡立ちが良く、洗浄力に優れるとともに、すすぎ時にぬるつかずに素早く洗い流せ、洗い上がりの肌がしっとりとして、滑らかな、フォーマー容器入り液体洗浄剤を提供する。【解決手段】次の成分（Ａ）、（Ｂ）及び（Ｃ）：（Ａ）多価アルコール、（Ｂ）ポリオキシエチレンアルキルエーテル硫酸塩、（Ｃ）少なくとも（Ｃ１）ポリオキシエチレンソルビタンアルキルエーテル及び（Ｃ２）ポリオキシエチレンアルキルエーテルを含むノニオン性界面活性剤を含有し、成分（Ａ）の含有量が２５〜４０質量％、成分（Ｂ）の含有量が０．３５〜１．７質量％、成分（Ｂ）及び（Ｃ）を含む全界面活性剤の合計含有量が２〜７質量％である、フォーマー容器入り液体洗浄剤。【選択図】なし【特許請求の範囲】
【請求項１】
次の成分（Ａ）、（Ｂ）及び（Ｃ）：
（Ａ）多価アルコール、
（Ｂ）ポリオキシエチレンアルキルエーテル硫酸塩、
（Ｃ）少なくとも（Ｃ１）ポリオキシエチレンソルビタンアルキルエーテル及び（Ｃ２）ポリオキシエチレンアルキルエーテルを含むノニオン性界面活性剤
を含有し、成分（Ａ）の含有量が２５〜４０質量％、成分（Ｂ）の含有量が０．３５〜１．７質量％、成分（Ｂ）及び（Ｃ）を含む全界面活性剤の合計含有量が２〜７質量％である、フォーマー容器入り液体洗浄剤。
【請求項２】
成分（Ｂ）に対する成分（Ｃ）の質量割合（Ｃ）／（Ｂ）が、１．１〜５．４である請求項１記載のフォーマー容器入り液体洗浄剤。
【請求項３】
全界面活性剤の合計量に対する成分（Ｂ）の質量割合（Ｂ）／（全界面活性剤）が、０．１〜０．３である請求項１又は２記載のフォーマー容器入り液体洗浄剤。
【請求項４】
さらに、（Ｄ）両性界面活性剤を含有する請求項１〜３のいずれか１項記載のフォーマー容器入り液体洗浄剤。
【請求項５】
成分（Ｃ１）が、ポリオキシエチレンソルビタンステアリルエーテルである請求項１〜４のいずれか１項記載のフォーマー容器入り液体洗浄剤。
【請求項６】
成分（Ｄ）に対する成分（Ｃ）の質量割合（Ｃ）／（Ｄ）が、０．７〜３．８である請求項４又は５記載のフォーマー容器入り液体洗浄剤。
【発明の詳細な説明】
【技術分野】
【０００１】
本発明は、フォーマー容器入り液体洗浄剤に関する。
【背景技術】
【０００２】
フォーマー容器入り液体洗浄剤製品は、泡立てる手間が省けるため、近年、開発が進んでいる。このような洗浄剤製品においては、均一な泡を得ることと、洗いあがりのダメージの程度を抑えることの両面から検討がなされている。
【０００３】
例えば、特許文献１には、硫酸基を有するアニオン界面活性剤と、高級脂肪酸塩又はエーテルカルボン酸型界面活性剤を組合わせ、さらに、ＩＯＢ値が異なる多価アルコールを含有するフォーマー容器に充填した洗浄剤が、洗浄後のしっとりと潤った洗い上がりを実現しながら、洗浄料の粘度が低く、フォーマー容器に充填して用いても、低温でもきめ細かい良好な泡が得られることが記載されている。
特許文献２には、Ｎ−アシルアミノ酸系アニオン界面活性剤と、それ以外のクラフト点２０℃以上のアニオン界面活性剤と、両性界面活性剤及び半極性界面活性剤から選択される界面活性剤と、多価アルコールとを含み、クリーミーで弾力性がある泡質で、低温安定性に優れ、しっとりとした肌感触を与える、フォーマー容器入り洗浄剤組成物が記載されている。
【先行技術文献】
【特許文献】
【０００４】
【特許文献２】特開２０１１−１２０３４号公報
【特許文献２】特開２００６−１８３０３９号公報
【発明の概要】
【発明が解決しようとする課題】
【０００５】
敏感肌や乳幼児のように、デリケートな肌に使用する場合、フォーマー容器から吐出された泡の泡立ちが良く、泡がきめ細かく、洗浄力に優れるとともに、すすぎ時にぬるつかずに素早く洗い流せること、また洗い上がりの肌がしっとりとして、滑らかであることが求められる。
しかしながら、従来の洗浄剤組成物はいずれも、これらの点において十分満足できるものではなかった。
【課題を解決するための手段】
【０００６】
本発明者らは、多価アルコールとともに、界面活性剤として、ポリオキシエチレンアルキルエーテル硫酸塩と、特定の２種を含むノニオン性界面活性剤を、特定の割合で組合わせて用いることにより、界面活性剤量が少なくても、きめ細かく厚み感がある泡で、泡立ちが良く、洗浄力に優れるとともに、すすぎ時にぬるつかずに素早く洗い流せ、洗い上がりの肌がしっとりとして、滑らかな、フォーマー容器入り液体洗浄剤が得られることを見出した。
【０００７】
本発明は、次の成分（Ａ）、（Ｂ）及び（Ｃ）：
（Ａ）多価アルコール、
（Ｂ）ポリオキシエチレンアルキルエーテル硫酸塩、
（Ｃ）少なくとも（Ｃ１）ポリオキシエチレンソルビタンアルキルエーテル及び（Ｃ２）ポリオキシエチレンアルキルエーテルを含むノニオン性界面活性剤
を含有し、成分（Ａ）の含有量が２５〜４０質量％、成分（Ｂ）の含有量が０．３５〜１．７質量％、成分（Ｂ）及び（Ｃ）を含む全界面活性剤の合計含有量が２〜７質量％である、フォーマー容器入り液体洗浄剤に関する。
【発明の効果】
【０００８】
本発明のフォーマー容器入り液体洗浄剤は、界面活性剤量が少なくても、吐出される泡はきめ細かく厚み感があり、泡立ちが良く、洗浄力に優れるとともに、すすぎ時にぬるつかずに素早く洗い流せ、洗い上がりの肌がしっとりとして、滑らかで、十分なマイルド性を有するものである。また、低温安定性も良好である。
【発明を実施するための形態】
【０００９】
本発明で用いる成分（Ａ）の多価アルコールとしては、通常の洗浄剤に用いられるもので、例えば、エチレングリコール、ジエチレングリコール、ヘキシレングリコール、ポリエチレングリコール、プロピレングリコール、ジプロピレングリコール、ポリプロピレングリコール、イソプレングリコール、１，３−ブチレングリコール、グリセリン、ジグリセリン、トリグリセリン、テトラグリセリン、ヘキサグリセリン、デカグリセリントリメチルプロパノール等が挙げられる。
これらのうち、きめが細かく泡の厚みが感じられ、洗い上がりの肌にしっとり感や滑らかさを付与する点から、２価及び３価のアルコールが好ましく、プロピレングリコール、グリセリンがより好ましい。
【００１０】
成分（Ａ）の多価アルコールは、１種又は２種以上を組み合わせて用いることができ、きめが細かく泡の厚みが感じられ、洗い上がりの肌にしっとり感や滑らかさを付与する点、さらに良好な吐出性を確保する点から、含有量は、液体洗浄剤組成物中に、２５質量％以上であり、２８質量％以上が好ましく、３０質量％以上がより好ましく、４０質量％以下であり、３８質量％以下が好ましく、３６質量％以下がより好ましい。また、成分（Ａ）の含有量は、液体洗浄剤組成物中に、２５〜４０質量％であり、２８〜３８質量％が好ましく、３０〜３６質量％がより好ましい。
【００１１】
成分（Ｂ）のポリオキシエチレンアルキルエーテル硫酸塩としては、泡立ち、洗浄力の点から、炭素数６〜２２の直鎖又は分岐鎖のアルキル基を有するものが好ましく、炭素数１０〜１６のアルキル基を有するものがより好ましい。また、同様の観点から、エチレンオキシドの平均付加モル数は、０．５〜８であるのが好ましく、０．５〜３がより好ましい。
成分（Ｂ）の塩としては、ナトリウム、カリウム等のアルカリ金属；アンモニウム；モノ、ジ又はトリ炭素数２〜３アルカノールアミン；リジン、アルギニン等の塩基性アミノ酸などが挙げられる。
【００１２】
成分（Ｂ）は、１種又は２種以上を組み合わせて用いることができ、泡立ち、洗浄力の点から、含有量は、液体洗浄剤組成物中に、０．３５質量％以上であり、０．４５質量％以上が好ましく、０．５質量％以上がより好ましく、１．７質量％以下であり、１．４質量％以下が好ましく、１．２質量％以下がより好ましく、１．１質量％以下がさらに好ましい。また、成分（Ｂ）の含有量は、液体洗浄剤組成物中に、０．３５〜１．７質量％であり、０．４５〜１．４質量％が好ましく、０．５〜１．２質量％がより好ましく、０．５〜１．１質量％がさらに好ましい。
【００１３】
成分（Ｃ）のノニオン性界面活性剤は、（Ｃ１）ポリオキシエチレンソルビタンアルキルエーテル及び（Ｃ２）ポリオキシエチレンアルキルエーテルを含むものである。
（Ｃ１）ポリオキシエチレンソルビタンアルキルエーテルとしては、泡立ち、洗浄力、洗いあがりのしっとり感の点から、炭素数１２〜１８のアルキル基を有するのが好ましく、炭素数１４〜１８のアルキル基を有するのがより好ましい。また、同様の観点から、エチレンオキシドの平均付加モル数は、５〜１００であるのが好ましく、１０〜３０がより好ましい。
成分（Ｃ１）としては、ポリオキシエチレンソルビタンステアリルエーテルが好ましく、エチレンオキシドの平均付加モル数１０〜３０のものがより好ましい。
【００１４】
また、成分（Ｃ１）ポリオキシエチレンソルビタンアルキルエーテルは、泡立ち、洗浄力、洗いあがりのしっとり感の点から、ＨＬＢが１２〜１８のものが好ましく、ＨＬＢ１２〜１６のものがより好ましい。
ここで、ＨＬＢとは、親水性−親油性のバランス（Ｈｙｄｒｏｐｈｉｌｅ−Ｌｉｐｏｐｈｉｌｅ  Ｂａｌａｎｃｅ）を示す指標であり、本発明においては、小田・寺村らによる次式を用いて算出した値を用いている。
【００１５】
【数１】
2020196802.tif 000002
【００１６】
成分（Ｃ１）は、１種又は２種以上を組み合わせて用いることができ、同様の観点から、含有量は、液体洗浄剤組成物中に、０．１質量％以上が好ましく、０．２質量％以上がより好ましく、０．３質量％以上がさらに好ましい。また、１．２質量％以下が好ましく、１．１質量％以下がより好ましく、０．８質量％以下がさらに好ましい。また、成分（Ｃ１）の含有量は、液体洗浄剤組成物中に、０．１〜１．２質量％が好ましく、０．２〜１．１質量％がより好ましく、０．３〜０．８質量％がさらに好ましい。
【００１７】
成分（Ｃ２）ポリオキシエチレンアルキルエーテルとしては、泡立ち、洗浄力、洗浄後の根滑らかさの付与の点から、炭素数８〜１８のアルキル基を有するのが好ましく、炭素数１０〜１６のアルキル基を有するのがより好ましい。また、同様の観点から、エチレンオキシドの平均付加モル数は、７〜３０であるのが好ましく、１０〜２５がより好ましい。
また、成分（Ｃ２）ポリオキシエチレンアルキルエーテルは、泡立ち、洗浄力、洗いあがりのしっとり感の点から、ＨＬＢ１２〜１８のものが好ましく、ＨＬＢ１２〜１６のものがより好ましい。
【００１８】
成分（Ｃ２）は、１種又は２種以上を組み合わせて用いることができ、泡立ち、洗浄力、洗浄後の滑らかさの付与の点から、含有量は、液体洗浄剤組成物中に、０．１質量％以上が好ましく、０．４質量％以上がより好ましく、０.６質量％以上がさらに好ましい。また、３．５質量％以下が好ましく、２．５質量％以下がより好ましく、１．８質量％以下がさらに好ましい。また、成分（Ｃ２）の含有量は、液体洗浄剤組成物中に、０．１〜３．５質量％が好ましく、０．４〜２．５質量％がより好ましく、０．６〜１．８質量％がさらに好ましい。
【００１９】
成分（Ｃ）のノニオン性界面活性剤としては、成分（Ｃ１）及び（Ｃ２）以外に、通常の洗浄剤に用いられるノニオン性界面活性剤、例えば、ポリオキシエチレンソルビット脂肪酸エステル、ポリオキシエチレングリセリン脂肪酸エステル、ポリオキシエチレン脂肪酸エステル、ポリオキシエチレンポリオキシプロピレングリコール、ポリオキシエチレンアルキルフェニルエーテル、ポリオキシアルキレン（硬化）ヒマシ油等のポリエチレングリコール型ノニオン性界面活性剤；ショ糖脂肪酸エステル；ポリグリセリンアルキルエーテル；ポリグリセリン脂肪酸エステル；ソルビタン脂肪酸エステル；アルキルグリセリルエーテル；アルキルグリコシド；脂肪酸アルカノールアミド等が挙げられる。
これらのうち、泡のきめ、泡立ちの点から、アルキルグリセリルエーテルが好ましい。
【００２０】
成分（Ｃ１）及び（Ｃ２）を含む成分（Ｃ）の合計含有量は、泡立ち、洗浄力、洗浄後の滑らかさの付与の点から、液体洗浄剤組成物中に、０．５質量％以上が好ましく、１質量％以上がより好ましく、１．２質量％以上がさらに好ましい。また、４質量％以下が好ましく、３．５質量％以下がより好ましく、２．５質量％以下がさらに好ましい。また、成分（Ｃ１）及び（Ｃ２）を含む成分（Ｃ）の合計含有量は、液体洗浄剤組成物中に、０．５〜４質量％が好ましく、１〜３．５質量％がより好ましく、１．２〜２．５質量％がさらに好ましい。
【００２１】
本発明において、成分（Ｂ）に対する成分（Ｃ）の質量割合（Ｃ）／（Ｂ）は、泡立ち、洗いあがりのしっとり感、滑らかさの付与の点から、１．１以上が好ましく、１．７以上がより好ましく、１．８上がさらに好ましい。また、５．４以下が好ましく、４以下がより好ましく、３．７以下がさらに好ましい。また、成分（Ｂ）に対する成分（Ｃ）の質量割合（Ｃ）／（Ｂ）は、１．１〜５．４であるのが好ましく、１．７〜４がより好ましく、１．８〜３．７がさらに好ましい。
【００２２】
本発明の液体洗浄剤は、洗い上がりの滑らかさの点から、さらに、（Ｄ）両性界面活性剤を含有するのが好ましい。
成分（Ｄ）の両性界面活性剤としては、通常の皮膚洗浄剤に用いられるものであればいずれでも良く、例えば、ラウリルジメチルアミノ酢酸ベタイン、ステアリルジメチルアミノ酢酸ベタイン等の酢酸ベタイン型界面活性剤；ラウリルジメチルアミンオキサイド等のアミンオキサイド型界面活性剤；２−アルキル−Ｎ−カルボキシメチル−Ｎ−ヒドロキシエチルイミダゾリニウムベタイン等のイミダゾリニウムベタイン型界面活性剤；ラウリン酸アミドプロピルベタイン、ヤシ油脂肪酸アミドプロピルベタイン等のアミドベタイン型界面活性剤；ラウリルヒドロキシスルホベタイン等のスルホベタイン型界面活性剤などが挙げられる。
これらのうち、泡立ち、洗浄力、洗いあがりの滑らかさの付与の点から、炭素数８〜１４のアルキル基を有するアミドベタイン型界面活性剤、スルホベタイン型界面活性剤が好ましく、アミドベタイン型界面活性剤がより好ましい。
【００２３】
成分（Ｄ）の両性界面活性剤は、１種又は２種以上を組み合わせて用いることができ、泡立ち、洗浄力、洗いあがりの滑らかさの付与の点から、含有量は、液体洗浄剤組成物中に、０．６質量％以上であるのが好ましく、０．７質量％以上がより好ましく、０．８質量％以上がさらに好ましく、また、１．８質量％以下が好ましく、１．５質量％以下がより好ましく、１．２質量％以下がさらに好ましい。また、成分（Ｄ）の含有量は、液体洗浄剤組成物中に、０．６〜１．８質量％が好ましく、０．７〜１．５質量％がより好ましく、０．８〜１．２質量％がさらに好ましい。
【００２４】
本発明において、成分（Ｄ）に対する成分（Ｃ）の質量割合（Ｃ）／（Ｄ）は、泡立ち、泡のきめ、洗浄力、すすぎ性、洗いあがりのしっとり感の点から、０．７以上が好ましく、１．３以上がより好ましく、１．７以上がさらに好ましく、また、３．８以下が好ましく、２．９以下がより好ましく、２．１以下がさらに好ましい。また、成分（Ｄ）に対する成分（Ｃ）の質量割合（Ｃ）／（Ｄ）は、０．７〜３．８であるのが好ましく、１．３〜２．９がより好ましく、１．７〜２．１がさらに好ましい。
【００２５】
本発明において、成分（Ｂ）及び（Ｃ）を含む全界面活性剤の合計含有量は、泡立ち、泡のきめ、洗浄力、すすぎ性の点から、液体洗浄剤組成物中に、２質量％以上であり、２．５質量％以上が好ましく、２．６質量％以上がより好ましい。また、７質量％以下であり、５．５質量％以下が好ましく、４．６質量％以下がより好ましい。また、成分（Ｂ）及び（Ｃ）を含む全界面活性剤の合計含有量は、液体洗浄剤組成物中に、２〜７質量％であり、２．５〜５．５質量％が好ましく、２．６〜４．６質量％がより好ましい。
【００２６】
本発明において、全界面活性剤の合計量に対する成分（Ｂ）の質量割合（Ｂ）／（全界面活性剤）は、泡立ち、泡のきめ、洗浄力、洗いあがりの滑らかさの付与の点から、０．１以上が好ましく、０．１５以上がより好ましく、０．１６以上がさらに好ましく、また、０．３以下が好ましく、０．２３以下がより好ましく、０．２１以下がさらに好ましい。また、全界面活性剤の合計量に対する成分（Ｂ）の質量割合（Ｂ）／（全界面活性剤）は、０．１〜０．３であるのが好ましく、０．１５〜０．２３がより好ましく、０．１６〜０．２１がさらに好ましい。
【００２７】
本発明の液体洗浄剤組成物は、前記成分を水に溶解させた液体の形態であるのが好ましい。水の含有量は、前記成分（Ａ）〜（Ｃ）及び必要に応じて含有させる他の成分の残部であり、きめが細かく厚みのある泡が得られる点、さらに良好な吐出性と貯蔵安定性の観点から、液体洗浄剤組成物中に、４０質量％以上であるのが好ましく、４５質量％以上がより好ましく、５０質量％以上がさらに好ましく、また、７５質量％以下が好ましく、７０質量％以下がより好ましく、６５質量％以下がさらに好ましい。また、水の含有量は、液体洗浄剤組成物中に、４０〜７５質量％が好ましく、４５〜７０質量％がより好ましく５０〜６５質量％がさらに好ましい。
【００２８】
本発明の液体洗浄剤組成物は、前記成分以外に、本発明の効果を損なわない範囲で通常の洗浄剤組成物に用いられる成分を使用することができる。例えば、前記以外の界面活性剤；エタノール、イソプロピルアルコール等の低級アルコール類；ベンジルアルコール、ベンジルオキシエタノール等の芳香族アルコール類；エチルセロソルブ、ブチルセロソルブ等のセロソルブ類；エチルカルビトール、ブチルカルビトール等のカルビトール類；糖（誘導体）やアミノ酸（誘導体）、動植物（タンパク質）誘導体、動植物抽出物等の保湿成分；ポリオキシアルキレン変性シリコーン等のシリコーン誘導体；硫酸ナトリウム、炭酸ナトリウム、炭酸水素ナトリウム、塩化カリウム、塩化ナトリウム、クエン酸ナトリウム等の無機又は有機塩類；酸やアルカリ等のｐＨ調整剤；グリチルレチン酸、グリチルリチン酸及びこれらの誘導体などの抗炎症剤；イソプロピルメチルフェノール等の殺菌剤；防腐剤、金属イオン封鎖剤、酸化防止剤、紫外線吸収剤、アニオン性高分子、カチオン性高分子、非イオン性高分子、両性高分子、香料、増粘剤、ビタミン類、天然色素、タール色素等の着色剤などが挙げられる。
【００２９】
本発明の液体洗浄剤組成物のｐＨは、洗浄後に十分なマイルド性を付与する観点から、ｐＨ４．５〜６．９の範囲であるのが好ましく、ｐＨ４.６〜６．０であるのがより好ましい。
本発明において、ｐＨは、液体洗浄剤組成物（原液）１００mLをビーカーに充填し、３０℃の恒温槽内にて３０℃に調整した後に、ｐＨ測定用電極を１分間浸して測定される。
【００３０】
本発明のフォーマー容器入り液体洗浄剤は、容器に充填する前の液体洗浄剤組成物が、液体状のものであり、きめが細かく、厚みのある泡を形成する観点から、２５℃における粘度が、１〜２０ｍＰａ・ｓであるのが好ましく、２〜１８ｍＰａ・ｓがより好ましく、３〜１５ｍＰａ・ｓがさらに好ましく、５〜１３ｍＰａ・ｓがよりさらに好ましい。
本発明において、粘度は、２５℃にてブルックフィールド型粘度計（東機産業、ＴＶＢ−１０）により、ローターはＮｏ．２、回転数６０ｒ／ｍｉｎで回転し、回転開始から６０秒後における粘度を測定する。
【００３１】
本発明のフォーマー容器入り液体洗浄剤は、液体洗浄剤組成物をフォーマー容器、特にノンガスフォーマー容器に充填されてなるものである。
フォーマー容器としては、空気と混合して泡として吐出できるものであればいずれのものでも用いることができるが、例えば、ポンプヘッドを押すことで吐出するポンプフォーマー容器や、胴体部分を押すことで吐出するスクイズフォーマー容器が挙げられ、具体的には、吉野工業所社製、大和製罐社製、Rieke社製のフォーマー容器等が挙げられる。また、例えば、特開平７−３１５４６３号公報、特開平８−２３０９６１号公報、特開２００５−１９３９７２号公報等に記載されたフォーマー容器を使用することもできる。
なかでも、液体洗浄剤を使用する環境における利便性の観点から、ポンプヘッドを押すことで吐出するポンプフォーマー容器が好ましく、泡質をさらに良好にする観点から、吐出流路に多孔質膜フィルターを備えるものが好ましい。このような多孔質膜フィルターは、さらにきめが細かく良好な泡質を得る観点から、１００〜４００メッシュのフィルターが好ましく、２００〜４００メッシュのフィルターがより好ましく、２００〜３０５メッシュのフィルターがさらに好ましい。かかる多孔質フィルターは吐出流路に１〜３枚配置するものが好ましく、２枚配置するものがさらに好ましい。
また、ポンプフォーマー容器における液体洗浄剤組成物と空気の混合比は、吐出される泡の密度（液体洗浄剤の質量／空気の体積）が、良好な泡量と肌を洗いやすい泡質を得る観点から、０．０３〜０．１４ｇ／ｃｍ3であるのが好ましく、０．０５〜０．１１ｇ／ｃｍ3がより好ましい。
【００３２】
本発明のフォーマー容器入り液体洗浄剤は、皮膚洗浄用として用いるのが好ましく、ハンドソープ、洗顔料、ボディーソープとして用いるのがより好ましい。本発明の洗浄剤組成物は、一般的な皮膚洗浄方法によって皮膚を洗浄するために用いることができる。例えば、フォーマー容器から吐出させた泡を手に取り、水で希釈せずにそのまま皮膚に直接適用し、泡立てて洗浄した後、シャワー等の温水を利用してすすぐことにより使用することができる。
また、洗浄方法としては、手で洗う方法、コットンやナイロン等の化学繊維から成るスポンジ、タオル、たわし等を使って洗う方法がある。皮膚への刺激の低減するため、直接手にとって手で洗う方法や、また本発明の泡性能と使用感を効果的に十分に発揮させる観点から、柔らかなコットンのタオル等を用いて洗ってもよい。
上述した実施形態に関し、本発明は、更に以下の組成物を開示する。
【００３３】
＜１＞次の成分（Ａ）、（Ｂ）及び（Ｃ）：
（Ａ）多価アルコール、
（Ｂ）ポリオキシエチレンアルキルエーテル硫酸塩、
（Ｃ）少なくとも（Ｃ１）ポリオキシエチレンソルビタンアルキルエーテル及び（Ｃ２）ポリオキシエチレンアルキルエーテルを含むノニオン性界面活性剤
を含有し、成分（Ａ）の含有量が２５〜４０質量％、成分（Ｂ）の含有量が０．３５〜１．７質量％、成分（Ｂ）及び（Ｃ）を含む全界面活性剤の合計含有量が２〜７質量％である、フォーマー容器入り液体洗浄剤。
【００３４】
＜２＞成分（Ａ）の多価アルコールが、好ましくは、２価及び３価のアルコールであって、プロピレングリコール、グリセリンがより好ましい前記＜１＞記載のフォーマー容器入り液体洗浄剤。
＜３＞成分（Ａ）の含有量が、好ましくは、液体洗浄剤組成物中に、２８質量％以上であって、３０質量％以上がより好ましく、３８質量％以下が好ましく、３６質量％以下がより好ましい前記＜１＞又は＜２＞記載のフォーマー容器入り液体洗浄剤。
【００３５】
＜４＞成分（Ｂ）が、好ましくは、炭素数６〜２２の直鎖又は分岐鎖のアルキル基を有するものであって、炭素数１０〜１６のアルキル基を有するものがより好ましく、エチレンオキシドの平均付加モル数は、０．５〜８が好ましく、０．５〜３がより好ましい前記＜１＞〜＜３＞のいずれか１記載のフォーマー容器入り液体洗浄剤。
＜５＞成分（Ｂ）の含有量が、好ましくは、液体洗浄剤組成物中に、０．４５質量％以上であって、０．５質量％以上がより好ましく、１．４質量％以下が好ましく、１．２質量％以下がより好ましく、１．１質量％以下がさらに好ましい前記＜１＞〜＜４＞のいずれか１記載のフォーマー容器入り液体洗浄剤。
【００３６】
＜６＞成分（Ｃ）のノニオン性界面活性剤のうち、（Ｃ１）ポリオキシエチレンソルビタンアルキルエーテルが、好ましくは、炭素数１２〜１８のアルキル基を有するものであって、炭素数１４〜１８のアルキル基を有するのがより好ましく、エチレンオキシドの平均付加モル数は、５〜１００であるのが好ましく、１０〜３０がより好ましい前記＜１＞〜＜５＞のいずれか１記載のフォーマー容器入り液体洗浄剤。
＜７＞成分（Ｃ１）が、好ましくは、ポリオキシエチレンソルビタンステアリルエーテルであって、エチレンオキシドの平均付加モル数１０〜３０のものがより好ましい前記＜１＞〜＜６＞のいずれか１記載のフォーマー容器入り液体洗浄剤。
＜８＞成分（Ｃ１）が、好ましくは、ＨＬＢ１２〜１８であって、ＨＬＢ１２〜１６がより好ましい前記＜１＞〜＜７＞のいずれか１記載のフォーマー容器入り液体洗浄剤。
＜９＞成分（Ｃ１）の含有量が、好ましくは、液体洗浄剤組成物中に、０．１質量％以上であって、０．２質量％以上がより好ましく、０．３質量％以上がさらに好ましく、１．２質量％以下が好ましく、１．１質量％以下がより好ましく、０．８質量％以下がさらに好ましい前記＜１＞〜＜８＞のいずれか１記載のフォーマー容器入り液体洗浄剤。
【００３７】
＜１０＞成分（Ｃ）のうち、（Ｃ２）ポリオキシエチレンアルキルエーテルが、好ましくは、炭素数８〜１８のアルキル基を有するものであって、炭素数１０〜１６のアルキル基を有するのがより好ましく、エチレンオキシドの平均付加モル数は、７〜３０であるのが好ましく、１０〜２５がより好ましい前記＜１＞〜＜９＞のいずれか１記載のフォーマー容器入り液体洗浄剤。
＜１１＞成分（Ｃ２）が、好ましくは、ＨＬＢ１２〜１８であって、ＨＬＢ１２〜１６がより好ましい前記＜１＞〜＜１０＞のいずれか１記載のフォーマー容器入り液体洗浄剤。
＜１２＞成分（Ｃ２）の含有量が、好ましくは、液体洗浄剤組成物中に、０．１質量％以上であって、０．４質量％がより好ましく、０.６質量％以上がさらに好ましく、３．５質量％以下が好ましく、２．５質量％以下がより好ましく、１．８質量％以下がさらに好ましい前記＜１＞〜＜１１＞のいずれか１記載のフォーマー容器入り液体洗浄剤。
【００３８】
＜１３＞成分（Ｃ）のノニオン性界面活性剤として、成分（Ｃ１）及び（Ｃ２）以外に、好ましくは、アルキルグリセリルエーテルを含有する前記＜１＞〜＜１２＞のいずれか１記載のフォーマー容器入り液体洗浄剤。
＜１４＞成分（Ｃ１）及び（Ｃ２）を含む成分（Ｃ）の合計含有量は、好ましくは、液体洗浄剤組成物中に、０．５質量％以上であって、１質量％以上がより好ましく、１．２質量％以上がさらに好ましく、４質量％以下が好ましく、３．５質量％以下がより好ましく、２．５質量％以下がさらに好ましい前記＜１＞〜＜１３＞のいずれか１記載のフォーマー容器入り液体洗浄剤。
＜１５＞成分（Ｂ）に対する成分（Ｃ）の質量割合（Ｃ）／（Ｂ）が、好ましくは、１．１以上であって、１．７以上がより好ましく、１．８上がさらに好ましく、５．４以下が好ましく、４以下がより好ましく、３．７以下がさらに好ましい前記＜１＞〜＜１４＞のいずれか１記載のフォーマー容器入り液体洗浄剤。
【００３９】
＜１６＞さらに、（Ｄ）両性界面活性剤を含有するのが好ましい前記＜１＞〜＜１５＞のいずれか１記載のフォーマー容器入り液体洗浄剤。
＜１７＞成分（Ｄ）が、好ましくは、炭素数８〜１４のアルキル基を有するアミドベタイン型界面活性剤、スルホベタイン型界面活性剤であって、アミドベタイン型界面活性剤がより好ましい前記＜１６＞記載のフォーマー容器入り液体洗浄剤。
＜１８＞成分（Ｄ）の含有量が、好ましくは、液体洗浄剤組成物中に、０．６質量％以上であって、０．７質量％以上がより好ましく、０．８質量％以上がさらに好ましく、１．８質量％以下が好ましく、１．５質量％以下がより好ましく、１．２質量％以下がさらに好ましい前記＜１６＞又は＜１７＞記載のフォーマー容器入り液体洗浄剤。
【００４０】
＜１９＞成分（Ｄ）に対する成分（Ｃ）の質量割合（Ｃ）／（Ｄ）が、好ましくは、０．７以上であって、１．３以上がより好ましく、１．７以上がさらに好ましく、３．８以下が好ましく、２．９以下がより好ましく、２．１以下がさらに好ましい前記＜１６＞〜＜１８＞のいずれか１記載のフォーマー容器入り液体洗浄剤。
＜２０＞成分（Ｂ）及び（Ｃ）を含む全界面活性剤の合計含有量が、好ましくは、液体洗浄剤組成物中に、２．５質量％以上であって、２．６質量％以上がより好ましく、５．５質量％以下が好ましく、４．６質量％以下がより好ましい前記＜１＞〜＜１９＞のいずれか１記載のフォーマー容器入り液体洗浄剤。
＜２１＞全界面活性剤の合計量に対する成分（Ｂ）の質量割合（Ｂ）／（全界面活性剤）が、好ましくは、０．１以上であって、０．１５以上がより好ましく、０．１６以上がさらに好ましく、０．３以下が好ましく、０．２３以下がより好ましく、０．２１以下がさらに好ましい前記＜１＞〜＜２０＞のいずれか１記載のフォーマー容器入り液体洗浄剤。
【００４１】
＜２２＞水の含有量が、好ましくは、液体洗浄剤組成物中に、４０質量％以上であって、４５質量％以上がより好ましく、５０質量％以上がさらに好ましく、７５質量％以下が好ましく、７０質量％以下がより好ましく、６５質量％以下がさらに好ましい前記＜１＞〜＜２１＞のいずれか１記載のフォーマー容器入り液体洗浄剤。
＜２３＞液体洗浄剤組成物のｐＨが、好ましくは、ｐＨ４．５〜６．９であって、ｐＨ４.６〜６．０がより好ましい前記＜１＞〜＜２２＞のいずれか１記載のフォーマー容器入り液体洗浄剤。
＜２４＞液体洗浄剤組成物の２５℃における粘度が、好ましくは、１〜２０ｍＰａ・ｓであって、２〜１８ｍＰａ・ｓがより好ましく、３〜１５ｍＰａ・ｓがさらに好ましく、５〜１３ｍＰａ・ｓがよりさらに好ましい前記＜１＞〜＜２３＞のいずれか１記載のフォーマー容器入り液体洗浄剤。
【００４２】
＜２５＞液体洗浄剤組成物を、好ましくは、ノンガスフォーマー容器、より好ましくは、ポンプフォーマー容器に充填されてなるものである前記＜１＞〜＜２４＞のいずれか１記載のフォーマー容器入り液体洗浄剤。
＜２６＞好ましくは、皮膚洗浄用として用いられ、ハンドソープ、洗顔料、ボディーソープとして用いるのがより好ましい前記＜１＞〜＜２５＞のいずれか１記載のフォーマー容器入り液体洗浄剤。
【実施例】
【００４３】
実施例１〜２２、比較例１〜８
表２〜表５に示す組成の液体洗浄剤組成物を、水に各成分を混合して溶解し、ｐＨ５．２に調整することにより、製造した。なお、実施例２については、ｐＨ５．１に調整し、２５℃における粘度が９．８ｍＰａ・ｓである。得られた液体洗浄剤組成物を、吉野工業所社製ポンプフォーマー容器（吐出流路に設けた多孔質膜フィルターのメッシュサイズは、２００メッシュ１枚と３０５メッシュ１枚）に充填して、フォーマー容器入り液体洗浄剤を得た。表中の界面活性剤の配合量は、アクティブ量で示した。
得られた液体洗浄剤について、泡のきめ細かさ、泡立ち、すすぎ性、洗い上がりのしっとり感、洗い上がりの滑らかさ、低温安定性及び洗浄力を評価した。また、実施例１、比較例１〜５については、前記方法により、２５℃における粘度を測定した。結果を表２〜表５に併せて示す。
【００４４】
（評価方法）
（１）泡のきめ細かさ：
各フォーマー容器入り液体洗浄剤を、２５℃及び５℃で２プッシュ吐出させ（１プッシュの吐出量約１ｇ）、２プッシュ目で吐出した泡の状態を、以下の基準で評価した。
◎：大きな気泡がなく、泡の大きさが均一で、泡に保形性があり、きめが細かい。
○：わずかに大きな気泡があるが、概ね泡の大きさが均一に見え、泡に保形性があり、きめが細かい。
△：大きな気泡があり、泡の大きさが一部不均一だが、泡に保形性がある。
×：大きな気泡が多数あり、泡の大きさが不均一、泡の保形性が低く、泡のきめが粗い。
【００４５】
（２）泡立ち、すすぎ性、洗い上がりのしっとり感、洗い上がりの滑らかさ：
専門パネラー３名により、２５℃の部屋にて、各フォーマー容器入り液体洗浄剤を、２プッシュ分（１プッシュの吐出量約１ｍＬ）を利き手の手の平に吐出させ、吐出した泡で利き手ではない側の腕（肘〜指先）を利き手の手の平で１０秒間軽くマッサージしながら洗浄した。その後、流水（水道水（２Ｌ／１ｍｉｎ）、水温２５〜３０℃）で十分濯ぎ、乾いたタオルでふき取った。
評価は、洗浄時の泡立ち、すすぎ時のすすぎやすい感じ、並びに、洗い上がりのしっとり感及び滑らかさについて行った。なお、洗い上がりのしっとり感及び滑らかさの評価は、タオルでふき取った５分後に行った。評価基準は各項目について以下のとおりであり、３名の平均点を求め、以下の基準で判定した。
（判定基準）
◎：平均点が３．５点以上。
○：平均点が２．５点以上３．５点未満。
△：平均点が１．５点以上２．５点未満。
×：平均点が１．５点未満。
【００４６】
（２−１）泡立ち：
洗浄時の状態を、「洗浄時に泡立ちが良く、泡に厚みがある」かについて、以下の基準で評価した。
５；とてもそう思う。
４；そう思う。
３；ややそう思う。
２；あまりそう思わない。
１；そう思わない。
【００４７】
（２−２）すすぎ性：
すすぎ時の状態を、「すすぎ時にぬるつかずに、さっと洗い流すことができる」かについて、以下の基準で評価した。
５；とてもそう思う。
４；そう思う。
３；ややそう思う。
２；あまりそう思わない。
１；そう思わない。
【００４８】
（２−３）洗い上がりのしっとり感：
洗浄後の状態を、「洗浄後、タオルでふき取った後、肌がしっとりする感じがする」かについて、以下の基準で評価した。
５；とてもそう思う。
４；そう思う。
３；ややそう思う。
２；あまりそう思わない。
１；そう思わない。
【００４９】
（２−４）洗い上がりの滑らかさ：
洗浄後の状態を、「洗浄後、肌がきしまず、滑らかな感じがする」かについて、以下の基準で評価した。
５；とてもそう思う。
４；そう思う。
３；ややそう思う。
２；あまりそう思わない。
１；そう思わない。
【００５０】
（３）低温安定性：
各液体洗浄剤組成物を、１１０ｍＬの透明ガラス容器（ガラス製規格瓶、Ｎｏ．１１、東京硝子器械（ＴＧＫ）製）に１００ｍＬ入れて密封し、−１０℃の冷凍庫にそれぞれ１４日の期間保存した。これらの組成物の保存後の外観を目視による視覚判定により、下記基準で判定した。
○：透明であり、白濁や沈殿物は確認されない。
△：一部白濁している。
×：全体的に白濁、あるいは、沈殿物が確認される。
【００５１】
（４）洗浄力：
前腕に、表１に示す組成のモデルコメド皮脂２０μｇを直径３ｃｍの円を描くように塗り広げた。そこに、各フォーマー容器入り液体洗浄剤０．０２ｇの泡をのせ、人差し指で左右に３回ずつ軽くマッサージした後、流水（水道水（１Ｌ／１ｍｉｎ）、水温２５〜３０℃）で５秒間洗い流した後、目視により以下の基準で評価した。
◎：汚れの８割以上が落ちている。
○：汚れの５割以上が落ちている。
△：汚れの３割以上が落ちている。
×：汚れの３割未満しか落ちない。
【００５２】
【表１】
2020196802.tif 000003
【００５３】
【表２】
2020196802.tif 000004
【００５４】
【表３】
2020196802.tif 000005
【００５５】
【表４】
2020196802.tif 000006
【００５６】
【表５】
2020196802.tif 000007